(57)【特許請求の範囲】
【請求項１】
筐体と、
放音面が前記筐体の外部に開口し、前記筐体に内蔵されたスピーカと、
収音面が前記筐体の外部に開口し、前記筐体に内蔵されたマイクロホンと、
前記筐体に設けられ、前記スピーカが収容される空間を形成する壁と、
前記壁に設けられ、前記スピーカが収容される空間内の音を、前記筐体外へ伝搬させる貫通孔と、を備え、
前記貫通孔から前記筐体の外部までの距離が前記貫通孔から前記マイクロホンまでの距離よりも短い、
放収音装置。
【請求項２】
前記マイクロホンが収容される空間の一部は、外部に開口しており、
前記貫通孔は、前記スピーカが収容される空間と前記マイクロホンが収容される空間を隔てる前記筐体内の隔壁に設けられている、
請求項１に記載の放収音装置。
【請求項３】
前記マイクロホンが収容される空間の一部には、通気性を有する遮蔽板を備える、
請求項２に記載の放収音装置。
【請求項４】
前記貫通孔の断面積は、
前記マイクロホンに接続されているケーブルを通す、前記隔壁にできる隙間の面積よりも大きい、
請求項２または請求項３に記載の放収音装置。
【請求項５】
前記スピーカは、密閉型スピーカシステムからなる、
請求項１乃至請求項４のいずれかに記載の放収音装置。
【請求項６】
筐体と、
放音面が前記筐体の外部に開口し、前記筐体に内蔵されたスピーカと、
収音面が前記筐体の外部に開口し、前記筐体に内蔵されたマイクロホンと、
前記筐体に設けられ、前記スピーカが収容される空間と前記マイクロホンが収容される空間とを隔てる壁と、
前記壁に設けられた貫通孔と、を備え、
前記貫通孔から前記筐体の外部までの距離は、前記貫通孔から前記マイクロホンまでの距離よりも短く、
前記スピーカが収容される空間と前記マイクロホンが収容される空間とは、前記壁を介して隣接する、
放収音装置。
【発明の詳細な説明】
【技術分野】
【０００１】
本発明は、スピーカとマイクを筐体内に配置した放収音装置に関する。
【背景技術】
【０００２】
従来、放収音装置の一例として、各種の音声会議装置が考案されている。例えば、特許文献１に記載の音声会議装置では、マイクロホンとスピーカは筐体に内蔵されている。
【０００３】
特許文献１に記載の音声会議装置では、平面視して、筐体は略矩形である。スピーカは、筐体の中心に配置されている。マイクロホンは、筐体の四隅に配置されている。マイクロホンは、収音面と配線部を除き、スピーカとの音響結合度合いを低減するために設けられた弾性体に囲まれている。
【先行技術文献】
【特許文献】
【０００４】
【特許文献１】特許第２７３９８３５号明細書
【発明の概要】
【発明が解決しようとする課題】
【０００５】
しかしながら、特許文献１に記載の音声会議装置では、弾性体に開口部があることによって、スピーカから筐体内に漏洩した音がこの開口部を通してマイクロホンで収音されてしまうことが避けられない。
【０００６】
また、製造工程に発生する誤差等によって、マイクロホンおよび弾性体の筐体への設置が設計上の位置からずれると、意図しない隙間ができ、スピーカから筐体内に漏洩した音がこの隙間を通してマイクロホンで収音されてしまう。
【０００７】
したがって、本発明の目的は、製造上避けられない内部部品の開口、あるいは隙間を許容しつつ、スピーカから筐体内に漏洩した音がマイクロホンで収音されることを抑制した放収音装置を提供することにある。
【課題を解決するための手段】
【０００８】
本発明の放収音装置は、スピーカおよびマイクロホンと、スピーカおよびマイクロホンを別々の空間で収容する筐体と、備える。筐体は、スピーカが収容される空間を形成する壁と、この壁に設けられた貫通孔と、を備える。貫通孔から筐体の外部までの距離は、貫通孔からマイクロホンまでの距離よりも短い。
【０００９】
この構成では、スピーカからスピーカの収容空間に漏れた音（漏洩音）が、貫通孔を介して外部に伝搬し易い。これにより、漏洩音がマイクロホンで収音されることが抑制される。
【発明の効果】
【００１０】
この発明によれば、製造上避けられない内部部品の開口、あるいは隙間を許容しつつ、スピーカから筐体内に漏洩した音がマイクロホンで収音されることを、より確実に抑制することができる。
【図面の簡単な説明】
【００１１】
【図１】本発明の実施形態に係る放収音装置の平面図および側面図
【図２】本発明の実施形態に係る放収音装置の部品配置図
【図３】本発明の実施形態に係る放収音装置の原理を説明する図
【図４】本発明の実施形態に係るボトムカバーの三面図
【図５】本発明の実施形態に係るトップカバーの表面図、裏面図、および側面断面図
【発明を実施するための形態】
【００１２】
本発明の実施形態に係る放収音装置について、図を参照して説明する。図１（Ａ）は、本発明の実施形態に係る放収音装置の平面図である。図１（Ｂ）は、本発明の実施形態に係る放収音装置の側面図である。図２（Ａ）は、本発明の実施形態に係る放収音装置の部品配置を示す平面図である。図２（Ｂ）は、本発明の実施形態に係る放収音装置の部品配置を示す側面図である。図２（Ａ）は、放収音装置のトップカバーの天板を透視した状態を示している。
【００１３】
図１に示すように、放収音装置１は、筐体１０、スピーカシステム５０、および複数（３つ）のマイクロホン６０を備える。筐体１０は、ボトムカバー２０、トップカバー３０、遮蔽板４０を備える。スピーカシステム５０は、詳細を図示していないが、スピーカユニットとバッフル、エンクロージャまたはホーンによって構成されたものである。図１（Ｂ）に示すように、筐体１０は、ボトムカバー２０の表面とトップカバー３０の裏面とが対向する状態でボトムカバー２０とトップカバー３０を重ねあわせることによって形成されている。図１（Ａ）に示すように、平面視して、筐体１０は、三角形の各角がＲ面取りされた形状である。筐体１０におけるＲ面取りされた３つの隅は、側面が開口している。
【００１４】
図１、図２に示すように、筐体１０には、スピーカ収容空間２０１とマイクロホン収容空間２０２とがそれぞれ分離して形成されている。
【００１５】
スピーカ収容空間２０１は、平面視して筐体１０の中央の領域である。スピーカ収容空間２０１は、ボトムカバー２０の外壁２２とトップカバー３０の外壁３２とが縦に連なる外壁と、ボトムカバー２０の隔壁２１とトップカバー３０の隔壁３１とが縦に連なる隔壁と、ボトムカバー２０の底板２００およびトップカバー３０の天板３００によって囲まれた密閉空間である。
【００１６】
スピーカシステム５０は、筐体１０を平面視した略中央に配置されている。これにより、スピーカシステム５０は、スピーカ収容空間２０１内に収容される。スピーカシステム５０は、放音面が筐体１０の上面側（トップカバー３０側）となるように配置されている。
【００１７】
平面視したトップカバー３０の天板３００の中央には、複数の放音用貫通孔３３１が形成されており、スピーカシステム５０の放音面は、これら複数の放音用貫通孔３３１の形成領域に重なっている。この構成によって、スピーカシステム５０の放音面は、筐体１０の上面（トップカバー３０）側に開口している。
【００１８】
このように、スピーカシステム５０は、筐体１０に対して、放音面が外部に開口した状態でスピーカ収容空間２０１に配置されている。この際、スピーカ収容空間２０１を形成するための筐体１０とトップカバー３０は、略全周に亘って密接している方が好ましいがこの限りではない。
【００１９】
マイクロホン収容空間２０２は、平面視して筐体１０の３つの隅に配置されている。マイクロホン収容空間２０２は、ボトムカバー２０の隔壁２１とトップカバー３０の隔壁３１とが縦に連なる隔壁と、ボトムカバー２０の底板２００およびトップカバー３０の天板３００によって囲まれており、筐体１０の隅の開口によって外部に連通する空間である。
【００２０】
３つのマイクロホン６０は、筐体１０の３つの隅にそれぞれ配置されている。これにより、３つのマイクロホン６０は、それぞれ個別のマイクロホン収容空間２０２に収容される。マイクロホン６０は、例えば単指向性である。各マイクロホン６０の収音面は、筐体１０の側面の開口側（マイクロホン収容空間２０２の外部に開放する側）を向いている。
【００２１】
このように、スピーカシステム５０と３つのマイクロホン６０は、筐体１０内のそれぞれ独立、分離された空間に配置されている。なお、スピーカシステム５０は、音声ケーブル５１によって、スピーカ収容空間２０１内に配置された回路基板７１に接続され、トップカバー３０の天板３００に固定されている。マイクロホン６０は、音声ケーブル６１によって回路基板７１に接続され、トップカバー３０の天板３００に固定されている。
【００２２】
隔壁２１には、隔壁２１の厚み方向に貫通する溝２１１が形成されている。溝２１１は、隔壁２１における幅方向の両端、すなわち外壁２２と接続する端部に形成されている。溝２１１は、隔壁２１における隔壁３１に当接する側に形成されている。
【００２３】
隔壁３１には、隔壁３１の厚み方向に貫通する溝３１１が形成されている。溝３１１は、隔壁３１における幅方向の両端、すなわち外壁３２と接続する端部に形成されている。なお、本実施形態では、溝３１１は、隔壁３１を高さ方向に沿って全体に切り欠く形状である。
【００２４】
そして、上述のように、ボトムカバー２０とトップカバー３０が重ね合わされることによって、溝２１１と溝３１１が連通して、隔壁２１，３１からなる壁を貫通する貫通孔ＨＬ２３が形成されている。この構成によって、スピーカ収容空間２０１は、各マイクロホン収容空間２０２に対して、貫通孔ＨＬ２３のみによって連通する。
【００２５】
図３は、本発明の実施形態に係る放収音装置の原理を説明するための図である。図３は、放収音装置の１つの隅を拡大した平面図である。図３は、トップカバー３０の天板３００を透視した状態を示している。
【００２６】
図３に示すように、貫通孔ＨＬ２３と筐体１０の開口との距離Ｌ（ＥＸ）は、貫通孔ＨＬ２３とマイクロホン６０との距離Ｌ（ＭＩＣ）よりも大幅に短い（Ｌ（ＥＸ）＜＜Ｌ（ＭＩＣ））。すなわち、貫通孔ＨＬ２３と筐体１０の開口との間の音の伝搬経路の長さは、貫通孔ＨＬ２３とマイクロホン６０との間の音の伝搬経路の長さよりも大幅に短い。
【００２７】
このような構成とすることによって、貫通孔ＨＬ２３からマイクロホン収容空間２０２に伝搬する音は、マイクロホン６０に伝搬され難く、開口から外部へ放散されやすい。したがって、スピーカシステム５０から筐体１０内のスピーカ収容空間２０１に漏洩した音Ｓ（Ｌｅａｋ）は、貫通孔ＨＬ２３を介して、筐体１０の開口から外部に放散される。
【００２８】
これにより、スピーカシステム５０から筐体１０内に漏洩した音がマイクロホン６０で収音させることを抑制できる。
【００２９】
なお、貫通孔ＨＬ２３の断面積は、ボトムカバー２０とトップカバー３０とを組み合わせた時に生じる可能性のある隙間の面積に対して十分に大きい。このような構成とすることによって、ボトムカバー２０とトップカバー３０とを組み合わせ時に隙間が生じても、スピーカシステム５０からスピーカ収容空間２０１内に漏洩した音は、貫通孔ＨＬ２３を伝搬する。したがって、スピーカシステム５０からスピーカ収容空間２０１内に漏洩した音Ｓ（Ｌｅａｋ）を、貫通孔ＨＬ２３を介して筐体１０の開口から外部に放散することができる。
【００３０】
このように、本実施形態の構成を用いることによって、スピーカシステム５０とマイクロホン６０とが内蔵された筐体１０を用いた放収音装置１であっても、スピーカシステム５０から筐体１０内に漏洩した音がマイクロホン６０で収音されることを抑制することができる。
【００３１】
なお、本実施形態に係る放収音装置１では、筐体１０の側面の開口に、遮蔽板４０が設置されている。遮蔽板４０は、例えばパンチングメタルからなり、通気性を有するが所定の遮光性を有する。これにより、筐体１０の３つの隅において、音を通しながら、この隅の開口から筐体１０の内部が視られることを抑制できる。これにより、マイクロホン６０の収音感度の劣化を抑制しながら、外部からマイクロホン６０が視認されることを抑制できる。また、貫通孔ＨＬ２３を介してマイクロホン収容空間２０２側に伝搬された音を確実に外部に放音できる。さらに、貫通孔ＨＬ２３が外部から視認されることを抑制でき、貫通孔ＨＬ２３が有することによるデザイン性の低下を抑制することができる。
【００３２】
このような放収音装置１のボトムカバー２０およびトップカバー３０は、具体的に次の構造からなる。
【００３３】
図４は、本発明の実施形態に係るボトムカバーの三面図である。図４は、ボトムカバーの平面図、第１側面図、および、第２側面図である。
【００３４】
ボトムカバー２０は、三角形の各角がＲ面取りされた形状の底板２００を備える。底板２００には、隔壁２１、および外壁２２が立設されている。外壁２２は、底板２００における３つの隅を除く外辺に沿って立設されている。隔壁２１は、底板２００における３つの隅に立設されている。隔壁２１は、底板２００における３つの隅から所定の距離だけ底板２００の中央側に立設されている。隔壁２１は、隣り合う外壁２２を連通する形状である。このような構成によって、隔壁２１および外壁２２によって囲まれる空間が、上述のスピーカ収容空間２０１の下側半分を形成する。また、隔壁２１よりも底板２００の隅側の領域が、上述のマイクロホン収容空間２０２の下側半分を形成する。
【００３５】
隔壁２１の幅方向の両端には、溝２１１が形成されている。この溝２１１が上述のように、貫通孔ＨＬ２３の下側半分を形成する。
【００３６】
また、隔壁２１の幅方向の略中央には、凹部２１２が形成されている。凹部２１２は、音声ケーブル６１に応じた深さで形成されている。
【００３７】
図５は、本発明の実施形態に係るトップカバーの三面図である。図５は、トップカバーの表面の平面図、裏面の平面図、および、側面断面図である。
【００３８】
トップカバー３０は、三角形の各角がＲ面取りされた形状の天板３００を備える。天板３００を平面視した形状は、ボトムカバー２０の底板２００を平面視した形状と略同じである。
【００３９】
天板３００には、隔壁３１、および外壁３２が立設されている。外壁３２は、天板３００における３つの隅を除く外辺に沿って立設されている。隔壁３１は、天板３００における３つの隅に立設されている。隔壁３１は、天板３００における３つの隅から所定の距離だけ天板３００の中央側に立設されている。隔壁３１は、隣り合う外壁３２を連通するような形状である。このような構成によって、隔壁３１および外壁３２によって囲まれる空間が、上述のスピーカ収容空間２０１の上側半分を形成する。また、隔壁３１よりも天板３００の隅側の領域が、上述のマイクロホン収容空間２０２の上側半分を形成する。
【００４０】
隔壁３１の幅方向の両端には、溝３１１が形成されている。この溝３１１が上述のように、貫通孔ＨＬ２３の上側半分を形成する。
【００４１】
このような構成からなるボトムカバー２０とトップカバー３０を、平面視して外壁２２，３２が重なり、隔壁２１，３１が重なるように、組み合わせる。これによって、貫通孔ＨＬ２３を備える筐体１０が形成される。この際、外壁２２と外壁３２との間、および隔壁２１，３１との間は、溝２１１，３１１の形成部を除いて緩衝シート８０（全体形状は図示せず）が介在されている。このような緩衝シートを用いることによって、ボトムカバー２０とトップカバー３０との組み合わせ精度が高精度でなくても、ボトムカバー２０とトップカバー３０との組み合わせに隙間が生じることを抑制できる。
【００４２】
また、この構成では、音声ケーブル６１は、凹部２１２によって形成される隔壁２１，３１間の隙間を挿通する。ここで、図２（Ｂ）に示すように緩衝シート８０が、音声ケーブル６１と凹部２１２との隙間に埋まり込むことによって、隙間の発生を抑制することができる。これにより、スピーカ収容空間２０１内に漏洩した音が貫通孔ＨＬ２３以外を介してマイクロホン６０に収音されることを抑制できる。また、凹部２１２を介して回路基板７１とマイクロホン６０を音声ケーブル６１で接続することによって、音声ケーブル６１を短くできる。これにより、音声ケーブル６１がアンテナとなって外来ノイズを受信してしまうことを抑制できる。
【００４３】
なお、上述の構成では、筐体１０内の隔壁２１，３１に貫通孔を設ける態様を示したが、筐体１０の他の位置に設けてもよい。外壁２２，３２に貫通孔を設けてもよい。さらには、ボトムカバー２０の底板２００におけるスピーカ収容空間２０１を構成する部分に貫通孔を設けてもよく、トップカバー３０の天板３００におけるスピーカ収容空間２０１を構成する部分に貫通孔を設けてもよい。ただし、隔壁２１，３１に貫通孔を設けることによって、貫通孔が外部に露出せず、貫通孔を設けることによるデザイン性の低下を抑制することができる。
【００４４】
また、上述の構成では、スピーカシステム、すなわち、スピーカユニットとエンクロージャとによって構成されるスピーカを用いる態様を示した。しかしながら、スピーカシステムに替えてスピーカユニットを用いることも可能である。但し、スピーカシステムを用いた方が、筐体１０内に漏洩する音は小さく、上述の構成がより有効に作用する。
【符号の説明】
【００４５】
１：放収音装置
１０：筐体
２０：ボトムカバー
２１，３１：隔壁
２２，３２：外壁
３０：トップカバー
４０：遮蔽板
５０：スピーカシステム
５１，６１：音声ケーブル
６０：マイクロホン
７１：回路基板
８０：緩衝シート
２００：底板
２０１：スピーカ収容空間
２０２：マイクロホン収容空間
２１１，３１１：溝
２１２：凹部
３００：天板
３１１：溝
３３１：放音用貫通孔
ＨＬ２３：貫通孔
【図１】
0006597053.tif 000002
【図２】
0006597053.tif 000003
【図３】
0006597053.tif 000004
【図４】
0006597053.tif 000005
【図５】
0006597053.tif 000006